(57)【要約】変形タイヤ（１、２）は複数のスポーク（１１）を備え、前記複数のスポーク（１１）のそれぞれの第一端は中央構造（１３）に連結され、前記複数のスポーク（１１）のそれぞれの第二端はタイヤ本体（１５）に連結される。前記複数のスポーク（１１）のそれぞれは連結されるタイヤ本体（１５）及び中央構造（１３）との間に第一長さ（Ｄ１）を有し、且つ前記複数のスポーク（１１）は弾性伸縮性を有する。中央構造（１３）により複数のスポーク（１１）が固定支持され、複数のスポーク（１１）のそれぞれは弾性伸縮性により第一長さ（Ｄ１）が動的に調整される。【選択図】図１
2019521027.tif 000002
【特許請求の範囲】
【請求項１】
それぞれの第一端が中央構造に連結され、ぞれぞれの第二端がタイヤ本体に連結され、それぞれが連結される前記タイヤ本体及び前記中央構造との間に第一長さを有し、且つ弾性伸縮性を有する複数のスポークを備え、
前記中央構造により前記スポークが固定支持され、前記スポークのそれぞれは前記弾性伸縮性により前記第一長さが動的に調整されることを特徴とする変形タイヤ。
【請求項２】
前記スポークは前記弾性伸縮性により前記第一長さから第二長さに動的に調整され、前記第二長さが前記第一長さより短いものであることを特徴とする請求項１に記載の変形タイヤ。
【請求項３】
前記スポーク及び前記タイヤ本体は前記中央構造を中心とし、前記中央構造の円周方向に沿って２列に並列されると共に互いにずれるように配列されて前記スポークにより前記中央構造に固定されることを特徴とする請求項１に記載の変形タイヤ。
【請求項４】
前記２列のうちのそれぞれの列の前記タイヤ本体は互いに連結されず、前記２列の前記タイヤ本体は互いに重ならないように配列されることを特徴とする請求項３に記載の変形タイヤ。
【請求項５】
前記２列のうちのそれぞれの列の前記タイヤ本体は互いに連結されず、前記２列の前記タイヤ本体は互いに部分的に重なるように配列されることを特徴とする請求項３に記載の変形タイヤ。
【請求項６】
前記中央構造は複数の孔を有し、前記中央構造は前記スポークが前記孔に収容され、前記スポークは前記孔により前記第一長さが調整され、又は前記スポークのそれぞれは前記弾性伸縮性により前記第一長さが動的に調整されることを特徴とする請求項１に記載の変形タイヤ。
【請求項７】
前記スポークは前記中央構造の前記孔により前記第一長さから第三長さに調整され、前記第三長さが前記第一長さより短いものであることを特徴とする請求項６に記載の変形タイヤ。
【請求項８】
前記スポークはショックアブソーバー又は弾性伸縮性を有する他の構造であることを特徴とする請求項１に記載の変形タイヤ。
【発明の詳細な説明】
【技術分野】
【０００１】
本発明は、タイヤに関し、更に詳しくは、弾性伸縮性を有するスポークを備える変形タイヤに関する。
【背景技術】
【０００２】
タイヤは円形の物体であり、シャフトの周りを回転し、転動することで摩擦を減らす。車軸に組み合わせる場合、各種車両の最も重要な構成部材となる。交通輸送においてタイヤは非常に有用であり、人類の重要な発明の１つである。タイヤは主にスポークを備えるホイールリムにゴムカーカスが組み合わせることで構成される。
【発明の概要】
【発明が解決しようとする課題】
【０００３】
一般的なタイヤ構造において、ゴムカーカスはホイールリムに覆設しやすくするように全て円形に形成されており、通常はホイールリムが複数のスポークを有し、複数のスポークは通常中央構造に固定される。このため、一般的には、タイヤが装設される車両は平地を走行するために用いられ、階段等の高低差のある地形にはタイヤは通常不向きである。換言すれば、一般的なタイヤは登攀又は登坂機能を有しない。タイヤが登攀又は登坂機能を有しないと、例えば自転車や車いす等の軽量な車両等の車両は不便な状況に陥ることがある。特に車いすの使用者にとっては、両足で歩くことができないため、車いすが登攀又は登坂機能を有しない場合、極めて不便になる。
【０００４】
上述の理由により、弾性伸縮性を有するスポークを基礎として、如何に変形タイヤを更に形成し、登攀又は登坂機能を有するようにするかは解決が待たれる問題であった。
【課題を解決するための手段】
【０００５】
上述の従来技術の欠点に鑑み、本発明は複数のスポークを備える変形タイヤを提供することを主な目的とする。前記複数のスポークのそれぞれの第一端は中央構造に連結され、前記複数のスポークのそれぞれの第二端はタイヤ本体に連結される。前記複数のスポークのそれぞれは連結されるタイヤ本体及び中央構造との間に第一長さを有し、且つ前記複数のスポークは弾性伸縮性を有する。中央構造により複数のスポークが固定支持され、複数のスポークのそれぞれは弾性伸縮性により第一長さが動的に調整される。
【０００６】
好ましくは、複数のスポークは弾性伸縮性により第一長さから第二長さに動的に調整され、第二長さが第一長さより短いものである。
【０００７】
好ましくは、複数のスポーク及び複数のタイヤ本体は中央構造を中心とし、中央構造の円周方向に沿って２列に並列されると共に互いにずれるように配列されて複数のスポークにより中央構造に固定される。
【０００８】
好ましくは、２列のうちのそれぞれの列の複数のタイヤ本体は互いに連結されず、且つ２列の複数のタイヤ本体は互いに重ならないように配列される。
【０００９】
好ましくは、２列のうちのそれぞれの列の複数のタイヤ本体は互いに連結されず、且つ２列の複数のタイヤ本体は互いに部分的に重なるように配列される。
【００１０】
好ましくは、中央構造は複数の孔を有し、中央構造は複数のスポークが複数の孔に収容される。複数のスポークは複数の孔により第一長さが調整され、又は複数のスポークのそれぞれは弾性伸縮性により第一長さが動的に調整される。
【００１１】
好ましくは、複数のスポークは中央構造の複数の孔により第一長さから第三長さに調整され、第三長さが第一長さより短いものである。
【００１２】
好ましくは、複数のスポークはショックアブソーバー又は弾性伸縮性を有する他の構造である。
【００１３】
本発明の他の目的、長所及び革新的な特徴については、以下の本発明の詳細な実施例及び図面から理解することができる。
【図面の簡単な説明】
【００１４】
【図１】本発明の第一実施形態に係る変形タイヤの構造を説明する概略図である。
【図２ａ】本発明の第一実施形態に係る変形タイヤのタイヤ本体の配列方式を説明する概略図である。
【図２ｂ】本発明の他の実施形態に係る変形タイヤのタイヤ本体の配列方式を説明する概略図である。
【図３】本発明の第一実施形態に係る変形タイヤの使用方式を説明する概略図である。
【図４】本発明の第二実施形態に係る変形タイヤの構造を説明する概略図である。
【図５】本発明の第二実施形態に係る変形タイヤの収容方式を説明する概略図である。
【発明を実施するための形態】
【００１５】
本発明の図面に示す実施例を詳しく参照する。全ての図面において同じ符号は同じ又は類似する部分を表示する。注意すべき点として、前記図面は簡略化されて示されており、比率を精確に示しているわけでない。各図面を一緒に閲覧することで本発明の好ましい実施例の前記要約と上記の詳細な説明についてより理解が深まる。本発明について説明した目的を達成するため、各図面には好ましい各実施例を示す。しかしながら、本発明は描写される精確な配置及び設備装置に制限されるわけではない。
【００１６】
図１は本発明の第一実施形態に係る変形タイヤの構造を説明するための概略図である。図１を参照すると、本発明の第一実施形態に係る変形タイヤ１は複数のスポーク１１を備え、前記複数のスポーク１１のそれぞれの第一端は中央構造１３に連結され、前記複数のスポーク１１のそれぞれの第二端はタイヤ本体１５に連結される。前記複数のスポーク１１のそれぞれは連結される各タイヤ本体１５及び中央構造１３との間に第一長さＤ１を有し、且つ前記複数のスポーク１１は弾性伸縮性を有する。中央構造１３により複数のスポーク１１が固定支持され、複数のスポーク１１のそれぞれは自身の弾性伸縮性により第一長さＤ１が動的に調整される。ちなみに、複数のタイヤ本体１５の構造は一般大衆が使用するタイヤ体の構造と略同じであり、その差異は本発明に係る複数のスポーク１１のそれぞれが連結されるタイヤ本体１５は互いに連結されず、車両の違いに応じて調整される点であり、例えば自転車のタイヤ又は車いすのタイヤに対してそれぞれ交換及び調整を行う点である。本発明の第一実施形態において、複数のスポーク１１はショックアブソーバーであり、他の実施形態においては、複数のスポーク１１は弾性伸縮性を有する他の構造である。また、複数のスポーク１１の数量は使用者や車両の需要に応じて調整され、図中に示す数量は概略を示すものにすぎない。
【００１７】
図２ａは本発明の第一実施形態に係る変形タイヤのタイヤ本体の配列方式を説明するための概略図である。図２ａを参照すると、図２ａは本発明の第一実施形態に係る変形タイヤ１の側面図であり、図２ａから見ると、複数のスポーク１１及び複数のタイヤ本体１５は中央構造１３を中心とし、中央構造１３の円周方向に沿って２列に並列されると共に互いにずれるように配列されて複数のスポーク１１により中央構造１３に固定され、それぞれの列の複数のタイヤ本体１５は互いに連結されず、且つ２列の複数のタイヤ本体１５は互いに重ならないように配列され、２列で重ならないようにずらして配列されることで変形タイヤ１が高効率で段差や高低差を登れるようになる。図２ｂは本発明の他の実施形態に係る変形タイヤのタイヤ本体の配列方式を説明するための概略図である。図２ｂを参照すると、図２ｂは本発明の他の実施形態に係る変形タイヤ１の側面図であり、図２ｂから見ると、複数のタイヤ本体１５は中央構造１３を中心とし、中央構造１３の円周方向に沿って２列に互いにずれるように配列されて中央構造１３に固定され、それぞれの列の複数のタイヤ本体１５は互いに連結されず、且つ２列の複数のタイヤ本体１５は互いに部分的に重なるように配列され、２列に部分的に重なるようにずらして配列されることにより変形タイヤ１が相対的に高い安定性を有する。重ならないように配列されるか部分的に重なるように配列されるかにかかわらず、タイヤ本体１５は各自長所を有し、様々な地形及び車両に適用可能となる。
【００１８】
図３は、本発明の第一実施形態に係る変形タイヤの使用方式を説明するための概略図である。図３を参照すると、本発明の第一実施形態に係る変形タイヤ１が登る必要がある階段３１に接近すると、複数のスポーク１１のうちの１つは連結されるタイヤ本体１５が階段３１に接触して受力され、自身の弾性伸縮性により受動的に第二長さＤ２に調整され、この第二長さＤ２が第一長さＤ１より短いものである。複数のスポーク１１のうちの１つが第二長さＤ２まで圧縮された後、自身の弾性伸縮性により階段３１に向けて力を掛けると共に第一長さＤ１に戻り、変形タイヤ１が複数のスポーク１１の弾性伸縮性により登攀機能の効果を達成させる。
【００１９】
図４は本発明の第二実施形態に係る変形タイヤの構造を説明するための概略図である。図４を参照すると、本発明の第二実施形態に係る変形タイヤ２は複数のスポーク１１を備え、前記複数のスポーク１１のそれぞれの第一端は中央構造１３に連結され、前記複数のスポーク１１のそれぞれの第二端はタイヤ本体１５に連結される。前記複数のスポーク１１のそれぞれは連結される各タイヤ本体１５及び中央構造１３との間に第一長さＤ１を有し、且つ前記複数のスポーク１１は弾性伸縮性を有する。中央構造１３により複数のスポーク１１が固定支持され、複数のスポーク１１のそれぞれは自身の弾性伸縮性により第一長さＤ１が動的に調整される。また、中央構造１３は複数の孔１７を有し、複数の孔は所定の深さを有する。中央構造１３は複数のスポーク１１が複数の孔１７に収容され、複数のスポーク１１は複数の孔１７により第一長さＤ１が調整され、又は複数のスポーク１１のそれぞれは自身の弾性伸縮性により第一長さＤ１が動的に調整される。ちなみに、複数のタイヤ本体１５の構造は一般大衆が使用するタイヤ本体の構造と略同じであり、その差異は本発明に係る複数のスポーク１１の連結される各タイヤ本体１５は互いに連結されず、車両の違いに応じて調整され、例えば自転車のタイヤや車いすのタイヤに対してそれぞれ交換及び調整を行う点である。また、本発明の第二実施形態において、複数のスポーク１１はショックアブソーバーであり、他の実施形態において、複数のスポーク１１は弾性伸縮性を有する他の構造である。上述の内容から分かるように、本発明の第二実施形態に係る変形タイヤ２の構造は第一実施形態に係る変形タイヤ１の構造と基本的に同じであり、よって、変形タイヤ２の使用方式も第一実施形態の変形タイヤ１と同じであり、その差異は本発明の第二実施形態に係る変形タイヤ２の中央構造１３が複数の孔１７を有し複数のスポーク１１を収容する点である。また、複数のスポーク１１の数量は使用者又は車両の需要に応じて調整可能であり、図中に示す数量は概略を示すものにすぎない。
【００２０】
図５は本発明の第二実施形態に係る変形タイヤの収容方式を説明するための概略図である。図５を参照すると、本発明の第二実施形態に係る変形タイヤ２は複数の孔１７により収容を行い、詳しく説明すると、複数のスポーク１１は複数の孔１７により中央構造１３に向けて移動され、第一長さＤ１から第三長さＤ３に調整され、第三長さＤ３が第一長さＤ１より短いものである。収容状態では、複数のスポーク１１は複数の孔１７により中央構造１３を部分的に貫通させて中心に向けて収縮し、これにより変形タイヤ２全体が縮小され、収容及び携帯に便利になる。ちなみに、図２ａ及び図２ｂから分かるように、本発明の複数のスポーク１１及びタイヤ本体１５は２列に並列されて互いにずれるように配列されて中央構造１３に固定されるため、複数のスポーク１１が中心に向けて収縮すると、互いに干渉せず、収容過程に影響もない。また、このほか、複数の孔１７による複数のスポーク１１の収容に用いられる深さは使用者の需要に応じて調整可能であり、本発明の他の実施形態においては、複数のスポーク１１は複数の孔１７により全体が中央構造１３を貫通させてもよく、これにより変形タイヤ２の体積を最小化させる。
【００２１】
上述の内容から分かるように、本発明は登攀特性を有する収容が便利な変形タイヤを提供し、本発明に係る変形タイヤは各種の車両に適用され、特に自転車及び車いすに適用される。自転車に本発明に係る変形タイヤが装設された後、様々な階段を自由に登攀可能になり、同時に複数のスポークが中央構造に向けて収縮することによりタイヤ本体の体積を縮小して収容や携帯を便利にする目的を達成できる。また、車いすの両側に本発明に係る変形タイヤが装設された後には車いすが様々な階段を登攀可能になり、歩行が不自由な人でも階段をスムーズに登ることができる。
【００２２】
本発明の代表的な実施形態を説明すると同時に、本明細書は本発明の操作方法及び／又はプロセスを特定の順序の工程として説明する。但し、ある程度においては、前記方法又はプロセスはここで説明する特定の順序の工程に依存せず、前記方法又はプロセスは前述の特定の工程の順序に限られない。本分野に習熟する技術者ならば、他の工程の順序も可能であることを理解できる。よって、本明細書において説明する特定の順序の工程を特許出願の請求の範囲に対する制限と見做すことはできない。また、本発明に係る方法及び／又はプロセスの特許出願の請求の範囲は説明する順序における工程の効果に限定されず、本分野に習熟する技術者ならば、本発明の精神及び範囲を逸脱しないように前記順序を変更することが可能であることを理解できる。
【００２３】
本分野に習熟する技術者ならば、広義の発明の概念を逸脱しないように上述の各実施形態を変化させることが可能であることを理解できる。よって、本発明は記載の特定の実施形態に制限されず、後述の各請求項において定義される本発明の精神及び範囲を逸脱しない変更が可能である。
【符号の説明】
【００２４】
１    変形タイヤ
２    変形タイヤ
１１  スポーク
１３  中央構造
１５  タイヤ本体
１７  孔
３１  階段
Ｄ１  第一長さ
Ｄ２  第二長さ
Ｄ３  第三長さ
【図１】
2019521027.tif 000003
【図２ａ】
2019521027.tif 000004
【図２ｂ】
2019521027.tif 000005
【図３】
2019521027.tif 000006
【図４】
2019521027.tif 000007
【図５】
2019521027.tif 000008
【国際調査報告】
2019521027.tif 000009
2019521027.tif 000010
2019521027.tif 000011
2019521027.tif 000012
2019521027.tif 000013
2019521027.tif 000014